【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
デジタルデータをデジタルテレビ（ＤＴＶ）放送信号に挿入する方法であって、前記ＤＴＶ信号は複数のフレームを備え、各フレームは複数のデータセグメントを備えており、前記デジタルデータを暗号語として符号化し、前記ＤＴＶ信号内のデータセグメントを前記暗号語と置換することからなる方法。
【請求項２】
前記ＤＴＶ信号がアメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項１記載の方法。
【請求項３】
前記デジタルデータを暗号語として符号化する工程が前記デジタルデータをビットシーケンスに分割する工程と、各ビットシーケンスをある有限の暗号語の組から選択された対応する暗号語、ここでは各暗号語は特定のビットシーケンスに対応し、暗号語は全て同じ長さであり、各暗号語はその対応するビットシーケンスより長い暗号語として符号化する請求項１記載の方法。
【請求項４】
前記有限の組の暗号語が互いに直交する請求項３記載の方法。
【請求項５】
前記ビットシーケンスが全て同じ長さの請求項３記載の方法。
【請求項６】
前記有限の組の暗号語が前記データセグメントと同じ長さである請求項３記載の方法。
【請求項７】
データセグメントを暗号語と置換する工程が各データセグメントを少なくとも２つの暗号語と置換する工程からなる請求項３記載の方法。
【請求項８】
各ビットシーケンスがＮビット長であり前記ビットシーケンスに対応する２∧Ｎ個の暗号語が存在する請求項３記載の方法。
【請求項９】
各ビットシーケンスを対応する暗号語として符号化する工程は、ビットシーケンスが対応する暗号語と一致する参照表から暗号語を選択する工程からなる請求項３記載の方法。
【請求項１０】
各暗号語は３ビットデジタルデータ以下を表示する請求項３記載の方法。
【請求項１１】
各暗号語は多振幅シンボルからなる請求項３記載の方法。
【請求項１２】
データセグメントを暗号語と置換する工程がフレーム内の数値位置によってデータセグメントを選択する工程と、選択されたデータセグメントだけを暗号語と置換する工程からなる請求項１記載の方法。
【請求項１３】
データセグメントを暗号語と置換する工程が、データセグメントが使用されないかどうかを決定する工程と、使用されないデータセグメントだけを暗号語と置換する工程からなる請求項１記載の方法。
【請求項１４】
さらに前記ＤＴＶ信号を放送する工程からなる請求項１記載の方法。
【請求項１５】
さらに放送ＤＴＶ信号を受信する工程と、前記デジタルデータを受信したＤＴＶ信号から復元する工程からなる請求項１４記載の方法。
【請求項１６】
放送されたデジタルテレビ（ＤＴＶ）信号からデジタルデータを復元する方法であって、複数のフレームを備え、各フレームは複数のデータセグメントを備え、少なくとも一つのデータセグメントがデジタルデータを表す少なくとも一つの暗号語によって置換された放送ＤＴＶ信号を受信する工程と、暗号語によって置換されたデータセグメントを選択する工程と、選択されたデータセグメントからデジタルデータを復元する工程とからなる方法。
【請求項１７】
前記ＤＴＶ信号はアメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項１６記載の方法。
【請求項１８】
各暗号語は、各暗号語がある特定のビットシーケンスに対応し、その暗号語が全て同じ長さであり、各暗号語がその対応するビットシーケンスより長い有限の暗号語の組から選択され、その選択されたデータセグメントからデジタルデータを復元する工程が、その選択されたデータセグメントからビットシーケンスを復元する工程からなる請求項１６記載の方法。
【請求項１９】
有限の組の暗号語は前記データセグメントと同じ長さである請求項１８記載の方法。
【請求項２０】
選択されたデータセグメントからビットシーケンスを復元する工程が、受信したＤＴＶ信号の中のいずれのデータセグメントが暗号語により置換されたかを特定する工程と、有限の暗号語の組で各暗号語に対するテンプレートに対してデータセグメントを相関させ、最も強い相関ピークを生成するテンプレートに対応する暗号語を選択する、データセグメントが暗号語により置換されたと特定される工程からなる請求項１８記載の方法。
【請求項２１】
暗号語に対する前記テンプレートが暗号語に対する照合フィルタである請求項２０記載の方法。
【請求項２２】
予め選択されたデータセグメントのみが暗号語によって置換されるとともに前記データセグメントがフレーム内の数値位置に従って予め選択されて、受信したＤＴＶ信号の中のいずれのデータセグメントが暗号語によって置換されたかを特定する工程が、いずれのデータセグメントがフレーム内の予め選択された数値位置を占めるかを決定する工程からなる請求項２０記載の方法。
【請求項２３】
ＤＴＶ信号が、Ｎ個のセグメント毎に１回繰り返すフィールド同期セグメントを含み、予め選択されたデータセグメントのみが暗号語により置換され、前記データセグメントがフィールド同期セグメントに関してその数値位置に従って予め選択され、受信されたＤＴＶ信号の中の暗号語により置換されたデータセグメントを特定する工程が、フィールド同期セグメントに対するテンプレートに対してデータセグメントを相関させる工程と、Ｎ個の部分合計を出す相関を加算し、各部分合計がＮ番目の相関毎にピークの合計を反映する工程と、Ｎ個の部分合計のいずれがフィールド同期セグメントを特定するためにもっとも大きいかを決定する工程と、いずれのデータセグメントが前記フィールド同期セグメントに関して予め選択された数値位置を占めるかを決定する工程からなる請求項２０記載の方法。
【請求項２４】
前記ＤＴＶ信号はＮ個のセグメント毎に１回繰り返すフィールド同期セグメントを含み、予め選択されたデータセグメントのみが暗号語により置換され、前記データセグメントがフィールド同期セグメントに関してその数値位置に従って予め選択され、受信したＤＴＶ信号の中のいずれのデータセグメントが暗号語により置換されたかを特定する工程が、フィールド同期セグメントに対するテンプレートに対してデータセグメントを相関させる工程と、閾値を超える全てのＮ番目の相関毎の多くの回数で各カウントに反映する前記相関からのＮ個のカウントを生成する工程と、いずれのＮカウントが前記フィールド同期セグメントを特定するために最も大きいかを決定する工程と、いずれのデータセグメントが前記フィールド同期セグメントに関して予め選択された数値位置を占めるかを決定する工程とからなる請求項２０記載の方法。
【請求項２５】
デジタルデータをデジタルテレビ（ＤＴＶ）放送信号に挿入するＤＴＶ送信装置であって、複数のフレームを備えるとともに、各フレームは複数のデータセグメントを備え、前記ＤＴＶ送信装置はデジタルデータを暗号語として符号化する手段と、前記ＤＴＶ信号の中のデータセグメントを前記暗号語と置換する手段とからなるＤＴＶ送信装置。
【請求項２６】
前記ＤＴＶ信号がアメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項２５記載のＤＴＶ送信装置。
【請求項２７】
前記デジタルデータを暗号語として符号化する手段が、前記デジタルデータをビットシーケンスに分割する手段と、各ビットシーケンスをある限定された暗号語の組から選択された対応する暗号語、ここでは各暗号語はある特定のビットシーケンスに対応し、その暗号語が全て同じ長さであり、各暗号語がその対応するビットシーケンスより長い暗号語として符号化する手段からなる請求項２５記載のＤＴＶ送信装置。
【請求項２８】
前記限定された暗号語の組が互いに直交する請求項２７記載のＤＴＶ送信装置。
【請求項２９】
前記有限の暗号語の組が前記データセグメントと同じ長さである請求項２７記載のＤＴＶ送信装置。
【請求項３０】
各ビットシーケンスはＮビット長であって前記ビットシーケンスに対応する２∧Ｎ個の暗号語が存在する請求項２７記載のＤＴＶ送信装置。
【請求項３１】
さらにデータセグメントを暗号語と置換する手段は、フレーム内の数値的位置に従ってデータセグメントを選択する手段と、選択されたデータセグメントのみを暗号語と置換する手段である請求項２５記載のＤＴＶ送信装置。
【請求項３２】
さらにデータセグメントを暗号語と置換する手段は、データセグメントが使用されていないかどうかを決定する手段と、使用されていないデータセグメントのみを暗号語で置換する手段である請求項２５記載のＤＴＶ送信装置。
【請求項３３】
デジタルデータを放送デジタルテレビ（ＤＴＶ）信号から復元するＤＴＶ受信装置であって、複数のフレームを備えるとともに、各フレームが複数のデータセグメントを備えて、少なくとも一つのデータセグメントがデジタルデータを表す少なくとも一つの暗号語によって置換された放送ＤＴＶ信号を受信する手段と、暗号語によって置換されたデータセグメントを選択する手段と、前記デジタルデータを選択されたデータセグメントから復元する手段とからなるＤＴＶ受信装置。
【請求項３４】
前記ＤＴＶ信号がアメリカテレビ基準委員会（ＡＴＳＣ）制定のＤＴＶ信号と、デジタルビデオ放送（ＤＶＢ）のＤＴＶ信号のＤＴＶ信号と、直接放送衛星（ＤＢＳ）のＤＴＶ信号とから構成されるグループより選択される信号からなる請求項３３記載のＤＴＶ受信装置。
【請求項３５】
各暗号語は、各暗号語がある特定のビットシーケンスに対応し、その暗号語が全て同じ長さであり、各暗号語がその対応するビットシーケンスより長いある有限の暗号語の組から選択され、その選択されたデータセグメントからデジタルデータを復元する手段はその選択されたデータセグメントからビットシーケンスを復元する手段からなる請求項３３記載のＤＴＶ受信装置。
【請求項３６】
前記有限の暗号語の組が前記データセグメントと直交する請求項３５記載のＤＴＶ受信装置。
【請求項３７】
前記ビットシーケンスは全て同じ長さである請求項３５記載のＤＴＶ受信装置。
【請求項３８】
前記有限の暗号語の組が前記データセグメントと同じ長さである請求項３５記載のＤＴＶ受信装置。
【請求項３９】
受信したＤＴＶ信号から前記ビットシーケンスを復元する手段は、受信したＤＴＶ信号の中のいずれのデータセグメントが暗号語により置換されたかを特定する手段と、データセグメントが暗号語により置換されたと特定される手段と、有限の組の暗号語の中で各暗号語に対するテンプレートに対して前記データセグメントを相関する手段と、最も強い相関ピークを生成するテンプレートに対応する暗号語を選択する手段とからなる請求項３５記載のＤＴＶ受信装置。
【請求項４０】
ある暗号語に対するテンプレートが暗号語に対して一致したフィルタである請求項３９記載のＤＴＶ受信装置。
【請求項４１】
予め選択されたデータセグメントのみが暗号語によって置換され、前記データセグメントがフレーム内の数値位置に従って予め選択され、受信したＤＴＶ信号の中のいずれのデータセグメントが暗号語によって置換されたかを特定する手段がいずれのデータセグメントが前記フレーム内の予め選択された数値位置を占めるかを決定する手段からなる請求項３９記載のＤＴＶ受信装置。
【請求項４２】
前記ＤＴＶ信号がＮ個のセグメント毎に１回繰り返すフィールド同期セグメントを含み、予め選択されたデータセグメントのみが暗号語によって置換され、前記データセグメントが前記フィールド同期セグメントに関する数値位置に従って予め選択され、受信したＤＴＶ信号の中でいずれのデータセグメントが暗号語によって置換されたかを特定する手段が、前記フィールド同期セグメントに対するテンプレートに対してデータセグメントを相関させる手段と、Ｎ個の部分合計を出すために前記相関を加算して各部分合計がＮ番目の相関毎にピークの合計を反映する手段と、Ｎ個の部分合計のいずれが前記フィールド同期セグメントを特定するのにもっとも大きいかを決定する手段と、いずれのデータセグメントが前記フィールド同期セグメントに関する予め選択された数値位置を占めるかを決定する手段とからなる請求項３９記載のＤＴＶ受信装置。
【請求項４３】
前記ＤＴＶ信号はＮ個のセグメント毎に１個繰り返すフィールド同期セグメントを含み、予め選択されたデータセグメントが暗号語によって置換され、前記データセグメントが前記フィールド同期セグメントに関する数値位置に従って予め選択され、受信したＤＴＶ信号の中のいずれのデータセグメントが暗号語によって置換されたかを特定する手段が、前記フィールド同期セグメントに対するテンプレートに対して前記データセグメントを相関させる手段と、閾値を超えるＮ番目の相関毎の回数で各カウントに反映する前記相関からＮ個のカウントを生成する手段と、前記Ｎカウントのいずれがフィールド同期セグメントを特定するのに最も大きいかを決定する手段と、いずれのデータセグメントが前記フィールド同期セグメントに関する予め選択された数値位置を占めるかを決定する手段とからなる請求項３９記載のＤＴＶ受信装置。
【請求項４４】
デジタルデータを放送デジタルテレビ（ＤＴＶ）信号から復元するＤＴＶ受信装置であって、放送ＤＴＶ信号を受信するよう適応され、複数のフレームを備えて、各フレームが複数のデータセグメントを有して、データセグメントがデジタルデータを表す暗号語によって置換されるとともに、前記暗号語がある有限の暗号語の組から選択されるフロントエンドと、前記有限の暗号語の組から暗号語用のテンプレートに対して前記データセグメントを相関させるよう適応されて前記フロントエンドに接続する相関器バンクとからなるＤＴＶ受信装置。
【請求項４５】
前記ＤＴＶ信号がアメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項４４記載のＤＴＶ受信装置。
【請求項４６】
各暗号語は、各暗号語がある特定のビットシーケンスに対応し、その暗号語が全て同じ長さであり、各暗号語がその対応するビットシーケンスより長いある有限の暗号語の組から選択される請求項４４記載のＤＴＶ受信装置。
【請求項４７】
暗号語に対するテンプレートが前記暗号語に対して一致するフィルタである請求項４４記載のＤＴＶ受信装置。
【請求項４８】
さらに、相関器バンクにより生成された相関のいずれが最も強いピークを有するかを決定するよう適応されて前記相関器と接続するコンパレータからなる請求項４４記載のＤＴＶ受信装置。
【請求項４９】
フロントエンドが、アンテナと、受信したＤＴＶ信号を低い周波数に変換するよう適応されてアンテナと連結するミキサと、前記ミキサと低い周波数に変換したＤＴＶ信号を標本化するよう適応された相関器バンク間を連結するサンプラとからなる請求項４４記載のＤＴＶ受信装置。
【請求項５０】
前記サンプラが、低い周波数に変換したＤＴＶ信号のＩサンプルとＱサンプルを生成するよう適応されるＩチャンネルとＱチャンネルを含む請求項４９記載のＤＴＶ受信装置。
【請求項５１】
前記フロントエンドが、ＤＴＶ信号を標本化するよう適応されるサンプラを備え、相関器バンク内の各相関器がデータセグメントのサンプルを受信し格納するよう適応されるパラレル出力を有するタップ遅延線と、暗号語用のテンプレートに対してデータセグメントを相関するよう適応されて前記タップ遅延線のパラレル出力と連結する乗算加算機とからなる請求項４４記載のＤＴＶ受信装置。
【請求項５２】
前記タップ遅延線が全データセグメントに対するサンプルを格納するようさらに適応される請求項５１記載のＤＴＶ受信装置。
【請求項５３】
さらに、フィールド同期セグメント用のテンプレートに対して前記データセグメントを相関するよう適応されてアンテナと連結し、前記ＤＴＶ信号はＮセグメント毎に１回繰り返すフィールド同期セグメントを含むフィールド同期相関器と、Ｎ個の部分合計を出すよう相関を加算するように適応されて前記フィールド同期相関器と連結し、各部分合計がＮ番目の相関毎のピークの合計を反映する加算機バンクと、Ｎ個の部分合計のうちいずれが前記フィールド同期セグメントを特定するために最も大きいかを決定するよう適応されて加算機バンクと連結するコンパレータと、前記アンテナと前記コンパレータに連結するカウンタであって、フィールド同期セグメントに関してデータセグメントの数値的位置を決定するよう適応されて、予め選択されたデータセグメントのみが暗号語により置換され、前記データセグメントフィールド同期セグメントに関してその数値的位置によって予め選択されるカウンタとからなるデータ請求項４４記載のＤＴＶ受信装置。
【請求項５４】
フィールド同期セグメント用のテンプレートに対して前記データセグメントを相関するよう適応されてアンテナに連結され、前記ＤＴＶ信号はＮ個のセグメント毎に１回繰り返すフィールド同期セグメントを含むフィールド同期相関器と、閾値を超えるＮ番目の相関毎の多くの回数で各カウントに反映する前記相関からのＮ個のカウントを生成するよう適応されて前記フィールド同期相関器と連結するカウンターバンクと、Ｎ個のカウントのいずれが前記フィールド同期セグメントを特定するのに最も大きいかを決定するよう適応されてカウンターバンクと連結するコンパレータと、前記アンテナと前記コンパレータに連結するカウンタであって、前記フィールド同期セグメントに関してデータセグメントの数値的位置を決定するよう適応されて、予め選択されたデータセグメントのみが暗号語によって置換され、前記フィールド同期セグメントに関するその数値的位置によって前記データセグメントが予め選択されるカウンタとからなる請求項４４記載のＤＴＶ受信装置。
【請求項５５】
前記フロントエンドは前記ＤＴＶ信号を標本化するよう適応されるサンプラを備え、前記相関器バンクが前記暗号語用のテンプレートに対して前記データセグメントを相関するようプログラムされたＤＳＰプロセッサを備える請求項４４記載のＤＴＶ受信装置。
【請求項５６】
デジタルテレビ（ＤＴＶ）放送信号にデジタルデータを挿入するＤＴＶ送信装置であって、前記ＤＴＶ信号は各フレームが複数のデータセグメントからなる複数のフレームを備え、前記デジタルデータを暗号語として符号化するよう適応されるエンコーダと、前記ＤＴＶ信号内のデータセグメントを前記暗号語と置換するよう適応されるパケットマルチプレクサからなるＤＴＶ送信装置。
【請求項５７】
前記ＤＴＶ信号がアメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項５６記載のＤＴＶ送信装置。
【請求項５８】
前記エンコーダは、さらに前記デジタルデータをビットシーケンスに分けて、有限の組の暗号語より選択されて対応する暗号語として各ビットシーケンスを符号化するよう適応され、各暗号語は特定のビットシーケンスに対応して前記暗号語は全て同じ長さであり各暗号語はその対応するビットシーケンスより長い請求項５６記載のＤＴＶ送信装置。
【請求項５９】
前記有限の組の暗号語が互いに直交する請求項５８記載のＤＴＶ送信装置。
【請求項６０】
前記有限の組の暗号語が前記データセグメントと同じ長さである請求項５８記載のＤＴＶ送信装置。
【請求項６１】
各ビットシーケンスがＮビット長であって前記ビットシーケンスに対応する２∧Ｎ個の暗号語が存在する請求項５８記載のＤＴＶ送信装置。
【請求項６２】
前記パケットマルチプレクサはさらにフレーム内の数値的位置によってデータセグメントを選択し、選択されたデータセグメントのみを暗号語と置換するよう適応される請求項５６記載のＤＴＶ送信装置。
【請求項６３】
前記パケットマルチプレクサはさらにデータセグメントが使用されていないかどうかを決定し、使用されていないデータセグメントのみを暗号語と置換するよう適応される請求項５６記載のＤＴＶ送信装置。
【請求項６４】
デジタルデータをデジタルテレビ（ＤＴＶ）放送信号に挿入する方法を実施コンピュータで実行可能な命令を具体化するコンピュータ読み取り可能媒体であって、ＤＴＶ信号が複数のフレームを備えるとともに、各フレームが複数のデータセグメントを備えて、前記方法が前記デジタルデータを暗号語として符号化する工程と、前記ＤＴＶ信号内のデータセグメントを暗号語と置換する工程とからなるコンピュータ読み取り可能媒体。
【請求項６５】
前記ＤＴＶ信号は、アメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号から構成されるグループより選択される信号からなる請求項６４記載の媒体。
【請求項６６】
前記デジタルデータを暗号語として符号化する工程は前記デジタルデータをビットシーケンスに分ける工程と、有限の暗号語の組より選択される対応する暗号語として各ビットシーケンスを符号化する工程とからなる媒体であって、各暗号語が特定のビットシーケンスに対応して前記暗号語が全て同じ長さであって各暗号語がその対応するビットシーケンスより長い請求項６４記載の媒体。
【請求項６７】
前記有限の組の暗号語が互いに直交する請求項６６記載の媒体。
【請求項６８】
前記ビットシーケンスは全て同じ長さである請求項６６記載の媒体。
【請求項６９】
前記有限の組の暗号語は前記データセグメントと同じ長さである請求項６６記載の媒体。
【請求項７０】
データセグメントを暗号語と置換する工程が各データセグメントを少なくとも２つの暗号語と置換する工程からなる請求項６６記載の媒体。
【請求項７１】
各ビットシーケンスはＮビット長であって、前記ビットシーケンスに対応する２∧Ｎ個の暗号語が存在する請求項６６記載の媒体。
【請求項７２】
各ビットシーケンスを対応する暗号語として符号化する工程が、ビットシーケンスをその対応する暗号語と一致させるチェック表から前記暗号語を選択する工程からなる請求項６６記載の媒体。
【請求項７３】
各暗号語は３ビット以下のデジタルデータを表示する請求項６６記載の媒体。
【請求項７４】
各暗号語は多振幅シンボルからなる請求項６６記載の媒体。
【請求項７５】
データセグメントを暗号語と置換する工程が、フレーム内の数値的位置によってデータセグメントを選択する工程と、選択されたデータセグメントのみを暗号語と置換する工程とからなる請求項６４記載の媒体。
【請求項７６】
データセグメントを暗号語と置換する工程が、データセグメントが使われていないかどうかを決定する工程と、使われていないデータセグメントのみを暗号語と置換する工程とからなる請求項６４記載の媒体。
【請求項７７】
前記方法がさらに前記ＤＴＶ信号を放送する工程からなる請求項６４記載の媒体。
【請求項７８】
前記方法がさらに前記放送ＤＴＶ信号を受信する工程と前記受信したＤＴＶ信号からデジタルデータを復元する工程とからなる請求項７７記載の媒体。
【請求項７９】
デジタルデータを放送デジタルテレビ（ＤＴＶ）信号から復元する方法を行うコンピュータで実行可能な命令を具体化するコンピュータ読み取り可能な媒体であって、その方法は複数のフレームを備えるとともに、各フレームが複数のデータセグメントを備え、少なくとも１つのデータセグメントがデジタルデータを表す少なくとも１つの暗号語によって置換された放送ＤＴＶ信号を受信する工程と、暗号語で置換された前記データセグメントを選択する工程と、前記デジタルデータを前記選択されたデータセグメントから復元する工程とからなるコンピュータ読み取り可能媒体。
【請求項８０】
前記ＤＴＶ信号が、アメリカテレビ基準委員会（ＡＴＳＣ）制定のＤＴＶ信号と、デジタルビデオ放送（ＤＶＢ）のＤＴＶ信号と、直接放送衛星（ＤＢＳ）のＤＴＶ信号とから構成されるグループより選択される信号からなる請求項７９記載の媒体。
【請求項８１】
各暗号語は、有限の組の暗号語から選択され、各暗号語が特定のビットシーケンスに対応して前記暗号語が全て同じ長さであって各暗号語がその対応するビットシーケンスより長い媒体であって、前記デジタルデータを前記選択されたデータセグメントから復元する工程が前記ビットシーケンスを前記選択されたデータセグメントから復元する工程からなる請求項７９記載の媒体。
【請求項８２】
前記有限の組の暗号語は前記データセグメントと同じ長さである請求項８１記載の媒体。
【請求項８３】
前記ビットシーケンスを前記選択されたデータセグメントから復元する工程は、受信されたＤＴＶ信号のいずれのデータセグメントが暗号語により置換されたかを特定する工程と、データセグメントが暗号語により置換されたと特定される工程であって、有限の暗号語の組で各暗号語に対するテンプレートに対してデータセグメントを相関させ、最も強い相関ピークを生成するテンプレートに対応する暗号語を選択する請求項８１記載の媒体。
【請求項８４】
暗号語に対するテンプレートが前記暗号語に対するフィルタと一致する請求項８３記載の媒体。
【請求項８５】
予め選択されるデータセグメントのみが暗号語によって置換されて前記データセグメントがフレーム内の数値的位置によって予め選択され、受信されたＤＴＶ信号の中の前記データセグメントのいずれが暗号語によって置換されたかを特定する工程は前記データセグメントのいずれがフレーム内の予め選択された数値的位置を占有するかを決定する工程からなる請求項８３記載の媒体。
【請求項８６】
前記ＤＴＶ信号はＮ個のセグメント毎に１回繰り返すフィールド同期セグメントを含み、予め選択されたデータセグメントのみが暗号語によって置換されて前記データセグメントがフィールド同期セグメントに関して数値的位置によって予め選択され、受信されたＤＴＶ信号の前記データセグメントのいずれが暗号語によって置換されたかを特定する工程は、フィールド同期セグメントに対するテンプレートに対して前記データセグメントを相関させる工程と、各部分合計がＮ番目の相関毎のピークの合計を反映するＮ個の部分合計を生成する相関を加算する工程と、Ｎ個の部分合計のいずれが前記フィールド同期セグメントを特定するのに最も大きいかを決定する工程と、前記データセグメントのいずれが前記フィールド同期セグメントに関して予め選択された数値的位置を占有するかを決定する工程とからなる請求項８３記載の媒体。
【請求項８７】
前記ＤＴＶ信号はＮ個のセグメント毎に１回繰り返すフィールド同期セグメントを含み、予め選択されたデータセグメントのみが暗号語によって置換されて前記データセグメントが前記フィールド同期セグメントに関して数値的位置によって予め選択され、受信されたＤＴＶ信号の前記データセグメントのいずれが暗号語によって置換されたかを特定する工程は、前記フィールド同期セグメントに対するテンプレートに対して前記データセグメントを相関させる工程と、閾値を超えるＮ番目の相関毎に多くの回数を反映する各カウントである前記相関からＮカウントを生成する工程と、Ｎカウントのいずれが前記フィールド同期セグメントを特定するのに最も大きいかを決定する工程と、前記データセグメントのいずれが前記フィールド同期セグメントに関して予め選択された数値的位置を占有するかを決定する工程とからなる請求項８３記載の媒体。